(57)【特許請求の範囲】
【請求項１】
記憶手段に格納されている映像データを読み出して、当該映像データに基づく複数の映像のうち所望の映像を検索する映像検索装置において、
上記映像データの全所要時間を所定の時間幅ごとに区分して表す複数のタイムラインを時間軸に沿って各タイムラインと直交するスキップ方向に順次並べることにより、上記記憶手段における上記映像データの格納状態を表す格納状態表を表示する第１の表示手段と、
上記格納状態表上に表示され上記タイムライン上における上記映像データの再生ポイントを指示する操作子を、上記映像データの再生時には上記タイムライン上で上記時間軸方向に沿って移動させると共に当該タイムラインの一端まで移動した際には次の上記タイムラインの他端へ移動させ、所定の操作時には上記タイムライン上の当該操作に応じた部位へ移動させる操作子表示手段と、
上記記憶手段に格納されている上記映像データの中から、上記操作子によって指示された上記部位に対応する映像データを読み出す読出手段と、
上記読出手段によって読み出された上記映像データに基づく映像を表示すると共に、上記操作に応じて上記操作子表示手段により上記操作子が上記タイムライン上で移動された際、上記操作子の移動に対応して上記映像データに基づく映像を早送り又は巻き戻し状態で表示する第２の表示手段と
を具えることを特徴とする映像検索装置。
【請求項２】
上記記録状態表の各上記タイムラインを所望する時間幅に設定するための第１の操作部と、
上記操作子を各上記タイムライン上の上記ライン方向及び上記スキップ方向の２軸方向に自在に移動させるための第２の操作部と
を具えることを特徴とする請求項１に記載の映像検索装置。
【請求項３】
格納されている映像データを読み出して、当該映像データに基づく複数の映像のうち所望の映像を検索する映像検索方法において、
上記映像データの全所要時間を所定の時間幅ごとに区分して表す複数のタイムラインを時間軸に沿って各タイムラインと直交するスキップ方向に順次並べることにより上記映像データの格納状態を表す格納状態表及び上記タイムライン上における上記映像データの再生ポイントを指示する操作子を表示する第１のステップと、
上記映像データの再生時には上記操作子を上記タイムライン上で上記時間軸方向に沿って移動させると共に当該タイムラインの一端まで移動した際には次の上記タイムラインの他端へ移動させ、所定の操作時には上記操作子を上記タイムライン上の当該操作に応じた部位へ移動させる第２のステップと、
上記格納されている上記映像データの中から、上記操作子によって指示された上記部位に対応する映像データを読み出す第３のステップと、
上記読み出された上記映像データに基づく映像を表示すると共に、上記操作に応じて上記第２のステップにより上記操作子が上記タイムライン上で移動された際、上記操作子の移動に対応して上記映像データに基づく映像を早送り又は巻き戻し状態で表示する第４のステップと
を具えることを特徴とする映像検索方法。
【発明の詳細な説明】
【０００１】
【発明の属する技術分野】
本発明は映像検索装置及び映像検索方法に関し、例えば編集システムに適用して好適なものである。
【０００２】
【従来の技術】
従来、この種の編集システムとしては、編集装置及びビデオサーバから構成されたものがあり、編集装置は、ビデオサーバに記録されている映像データの中からオペレータによって順次指定された映像をそれぞれクリップとして登録し、当該登録した各クリップ同士の順番や、繋ぎ合わせ方などの編集内容を規定する編集リストを作成するようにして、当該編集リストに基づきビデオサーバを制御することによりいわゆるノンリニア編集を行うようになされている。
【０００３】
【発明が解決しようとする課題】
ところでかかる編集システムでは、編集リスト作成時、編集装置はオペレータによって指定されたクリップを登録する際、当該クリップに対応する映像データを当該映像データに付随する所定のテキストデータに従ってビデオサーバから抽出するようになされている。
【０００４】
因みにこのテキストデータには、オペレータによって各映像データのタイトルや、素材ＩＤ、取材日、取材場所などのテキスト情報が時系列的に入力されている。
【０００５】
ところがオペレータによって指定されたクリップのイン点及びアウト点の映像をビデオサーバに記録されている映像データの中から検索する場合、モニタにはビデオサーバに記録されている映像データに基づく映像が先頭部分から順次時間軸に沿ってリニアにしか表示されないため、指定されたクリップのイン点及びアウト点の映像を瞬時にモニタに表示させることが困難である問題があった。
【０００６】
この結果このような編集システムでは、映像の検索作業に時間がかかり、作業効率が悪くなる問題があった。
【０００７】
本発明は以上の点を考慮してなされたもので、映像の検索作業を格段と効率良く向上させ得る映像検索装置及び映像検索方法を提案しようとするものである。
【０００８】
【課題を解決するための手段】
かかる課題を解決するため本発明においては、映像検索装置において、映像データの全所要時間を所定の時間幅ごとに区分して表す複数のタイムラインを時間軸に沿って各タイムラインと直交するスキップ方向に順次並べることにより、記憶手段における映像データの格納状態を表す格納状態表を表示する第１の表示手段と、格納状態表上に表示されタイムライン上における映像データの再生ポイントを指示する操作子を、映像データの再生時にはタイムライン上で時間軸方向に沿って移動させると共に当該タイムラインの一端まで移動した際には次のタイムラインの他端へ移動させ、所定の操作時にはタイムライン上の当該操作に応じた部位へ移動させる操作子表示手段と、記憶手段に格納されている映像データの中から、操作子によって指示された部位に対応する映像データを読み出す読出手段と、読出手段によって読み出された映像データに基づく映像を表示すると共に、操作に応じて操作子表示手段により操作子がタイムライン上で移動された際、操作子の移動に対応して映像データに基づく映像を早送り又は巻き戻し状態で表示する第２の表示手段とを設けるようにした。
【０００９】
この結果この映像検索装置では、映像データ全体の格納状態をスキップ方向に順次並べられた複数のタイムラインにより時間幅と対応付けて視認させ得ると共に、タイムライン上で当該映像データの再生ポイントを指示する操作子をタイムライン上で操作に応じた部位へ移動させることができるので、当該映像データの中から所望映像を迅速にかつ容易に選出させることができる。
【００１０】
また本発明においては、映像検索方法において、映像データの全所要時間を所定の時間幅ごとに区分して表す複数のタイムラインを時間軸に沿って各タイムラインと直交するスキップ方向に順次並べることにより上記映像データの格納状態を表す格納状態表及びタイムライン上における映像データの再生ポイントを指示する操作子を表示する第１のステップと、映像データの再生時には操作子をタイムライン上で時間軸方向に沿って移動させると共に当該タイムラインの一端まで移動した際には次のタイムラインの他端へ移動させ、所定の操作時には操作子をタイムライン上の当該操作に応じた部位へ移動させる第２のステップと、格納されている映像データの中から、操作子によって指示された部位に対応する映像データを読み出す第３のステップと、読み出された映像データに基づく映像を表示すると共に、操作に応じて第２のステップにより操作子がタイムライン上で移動された際、操作子の移動に対応して映像データに基づく映像を早送り又は巻き戻し状態で表示する第４のステップとを設けるようにした。
【００１１】
この結果この映像検索方法では、映像データ全体の格納状態をスキップ方向に順次並べられた複数のタイムラインにより時間幅と対応付けて視認させ得ると共に、タイムライン上で当該映像データの再生ポイントを指示する操作子をタイムライン上で操作に応じた部位へ移動させることができるので、当該映像データの中から所望映像を迅速にかつ容易に選出させることができる。
【００１２】
【発明の実施の形態】
以下図面について、本発明の一実施の形態を詳述する。
【００１３】
（１）本実施の形態による編集システムの構成
図１において、１は全体として本実施の形態による編集システムを示し、電話回線や衛星通信回線等の電送回線（図示せず）を通じて転送される映像データを例えばＭＰＥＧ２（Moving Picture Experts Group Phase 2）等の規格に基づいて圧縮符号化し、これをエンコードデータＤ１としてディスクアレイ構成の記録再生部を有するＡＶ（Audio Video ）サーバでなるビデオサーバ２に記録する。
【００１４】
またこのときビデオサーバ２には、図示しないテキストデータ入力部からオペレータにより入力された各映像データのテキストデータＤ２が与えられる。かくしてビデオサーバ２は、これらテキストデータＤ２をデータベース化して記録する。
【００１５】
そしてこれらビデオサーバ２に記録された各映像データのエンコードデータＤ１及び対応するテキストデータＤ２は、編集装置３のプロセッサ４を用いて読み出すことができる。
【００１６】
実際上編集装置３のプロセッサ４は、素材検索及び選択モード時、操作部５にオペレータにより所望する映像データの素材ＩＤ等の検索条件が入力され、その映像データの検索命令が入力されると、ビデオサーバ２に記録されている各映像データのテキスト情報のデータベースに基づいて対応する映像データを検索し、検索により選出した映像データのテキストデータＤ２を読み出させる。
【００１７】
またプロセッサ４は、検索結果に基づいて対応する映像データのエンコードデータＤ１をビデオサーバ２に読み出させ、当該エンコードデータＤ１と、テキストデータＤ２とに基づいて対応する各映像データの映像及び一部のテキスト情報をそれぞれモニタ６及び液晶ディスプレイ７に表示させる。
【００１８】
この結果オペレータは、このモニタ６と、液晶ディスプレイ７とに表示された対応する各映像データの映像と、テキスト情報とに基づいて所望する映像データを選択することができる。
【００１９】
さらにプロセッサ４は、素材検索及び選択モードに続く編集リスト作成モード時、上述のようにして選択された映像データのうちの１つの映像データが選択され、その再生命令が入力されると、ビデオサーバ２にその映像データのエンコードデータＤ１及びテキストデータＤ２を読み出させ、当該エンコードデータＤ１に基づく映像をモニタ６に表示させると共に、当該テキストデータＤ２に基づくテキスト情報の一部を液晶ディスプレイ７に表示させる。
【００２０】
このとき液晶ディスプレイ７には、テキストデータＤ２に基づくテキスト情報の一部である後述のＧＵＩ（Graphical User Interface）画面が表示され、オペレータは、当該ＧＵＩ画面内に表示されるカーソルを操作部５を用いて操作する。
【００２１】
この結果オペレータは、モニタ６に表示された映像を目視しながら液晶ディスプレイ７に表示されるＧＵＩ画面内をカーソルを用いて操作することにより、イン点及びアウト点を指定するようにして当該映像の所望部分をクリップとして登録することができ、同様の方法により複数の映像データについて所望映像をクリップとして順次登録することができる。
【００２２】
またオペレータは、このようにして登録した各クリップをどのようにして繋ぎ合わせるかといった編集内容を規定した編集リストをプロセッサ４を用いて作成することができ、このようにして作成された編集リストのデータ（以下、これを編集リストデータと呼ぶ）がプロセッサ４から編集処理系（図示せず）に与えられ、当該編集処理系において編集リストデータに基づいて実際の編集処理が実行される。
【００２３】
実際上液晶ディスプレイ７に表示されるＧＵＩ画面は、図２に示すように、そのときモニタ６に表示されている映像データのテキストデータＤ２に基づく当該映像データの全所要時間の表示部１１と、当該全所要時間を所望する時間毎に帯状線グラフで表すインジケータ部１２及び現在モニタ６に表示されている映像データに基づく映像のカウント時間の表示部１３と、当該映像の再生ポイントがインジケータ部１２内のどこの部位であるかを表すカーソル１４が表示される。
【００２４】
このインジケータ部１２には、対応する映像データの全所要時間を表す帯状線グラフとしての複数のタイムラインＴ１〜Ｔｎが各タイムラインＴ１〜Ｔｎと直交する方向に順次積み上げられるように設けられ、各タイムラインＴ１〜Ｔｎは、所望する時間（ｈ）や、分（min ）、又は秒（sec ）単位毎にその長さ（以下、これを時間幅と呼ぶ）を設定し得るようになされている。
【００２５】
またこのＧＵＩ画面１０のインジケータ部１２を操作するカーソル１４は、図３に示すように、操作部５によって操作されない再生モード時、インジケータ部１２の各タイムラインＴ１〜Ｔｎ上を右方向（以下、これを再生方向と呼ぶ）に順次移動するようにして対応する映像データに基づく映像を再生させるようになされており、例えば当該カーソル１４がタイムライン１２Ａの最右端に達すると、次のタイムライン１２Ｂの最左端に移動し、ここから再び再生方向に順次移動するようになされている。
【００２６】
またカーソル１４は、操作部５の操作に基づき移動する素材検索及び選択モード時、インジケータ部１２の各タイムラインＴ１〜Ｔｎ上を操作部５の操作に応動した上下左右方向に順次対応して移動するようになされている。
【００２７】
このときカーソル１４は、操作部５の操作に基づいて、例えばインジケータ部１２の各タイムラインＴ１〜Ｔｎ上を再生方向又はこれと反対の左方向（以下、これを逆再生方向と呼ぶ）に移動することにより、対応させてモニタ６に表示される映像データに基づく映像を通常の早送り又は巻き戻し状態で再生させるようになされている。
【００２８】
これに対してカーソル１４は、操作部５の操作に基づいて、例えばインジケータ部１２の各タイムラインＴ１〜Ｔｎ上を上方向（以下、これをスキップ方向と呼ぶ）又はこれと反対の下方向（以下、これを逆スキップ方向と呼ぶ）に移動することにより、対応させてモニタ６に表示される映像データに基づく映像を当該各タイムラインＴ１〜Ｔｎの時間幅分スキップさせた早送り又は巻き戻し状態で再生させるようになされている。
【００２９】
ここで操作部５には、図４（Ａ）及び（Ｂ）に示すように、液晶ディスプレイ７に表示されるＧＵＩ画面１０のインジケータ部１２のタイムラインＴ１〜Ｔｎの時間幅を設定する第１の操作部（以下、これをＺリングと呼ぶ）１５と、インジケータ部１２のカーソル１４を当該インジケータ部１２の上下左右の２軸方向に移動させる第２の操作部（以下、これをジョグダイヤルと呼ぶ）１６とが設けられている。
【００３０】
このＺリング１５は、矢印Ｘ１及びＸ２方向に回転されることに応じて、インジケータ部１２のタイムラインＴ１〜Ｔｎの時間幅を増減させるようになされている。
【００３１】
またジョグダイヤル１６は、矢印ｘ１又はｘ２方向に回転されることに応じて、カーソル１４をインジケータ部１２の再生方向又は逆再生方向に移動させると共に、矢印ｙ１又はｙ２方向にスライド移動されることに応じて、カーソル１４をインジケータ部１２の逆スキップ方向又はスキップ方向に移動させるようになされている。
【００３２】
（２）ＧＵＩ画面１０における操作手順
ここで実際上この編集システム１では、液晶ディスプレイ７に表示されるＧＵＩ画面１０において、操作部５のＺリング１５を矢印Ｘ１又はＸ２方向に回転操作することにより各タイムラインＴ１〜Ｔｎの時間幅の増減の変更を選定し、カーソル１４のスキップ移動する幅を変更し得るようになされている。
【００３３】
そしてこの状態で、操作部５のジョグダイヤル１６を矢印ｘ１又はｘ２方向に回転操作することにより、ＧＵＩ画面１０内のカーソル１４は、インジケータ部１２の各タイムラインＴ１〜Ｔｎ上の再生方向又は逆再生方向に移動する。このときモニタ６には、ＧＵＩ画面１０のタイムラインＴ１〜Ｔｎ上のカーソル１４の移動に応動して対応させた映像が通常の早送り又は巻き戻し状態で表示されるようになされている。
【００３４】
また操作部５のジョグダイヤル１６を矢印ｙ１又はｙ２方向にスライド操作することにより、ＧＵＩ画面１０内のカーソル１４は、インジケータ部１２の各タイムラインＴ１〜Ｔｎ毎の逆スキップ方向又はスキップ方向に移動する。このときモニタ６には、ＧＵＩ画面１０の各タイムラインＴ１〜Ｔｎ上のカーソル１４の移動に応動して対応させた映像が当該各タイムラインＴ１〜Ｔｎの時間幅分スキップさせた巻き戻し又は早送り状態で表示されるようになされている。
【００３５】
このようにして編集システム１では、映像データの中からクリップとして登録する所望映像を抽出する際、オペレータが液晶ディスプレイ７に表示されるＧＵＩ画面１０をカーソル１４を用いた操作部５によって操作することにより、カーソル１４を２軸方向に自在に移動させることができる分、当該所望部分を迅速かつ容易に選出することができるようになされている。
【００３６】
（３）編集装置３のプロセッサ４の構成
ここで編集装置３のプロセッサ４は、図５に示すように、ＣＰＵ（Central Processing Unit ）２０、ＲＯＭ（Read Only Memory）２１、ＲＡＭ（Random Access Memory）２２、表示処理回路２３、信号処理回路２４、インターフェース回路２５、２６及びＳＣＳＩ（Small Computer System Interface ）インターフェース回路２７がＣＰＵバス２８を介して接続されることにより構成されており、各インターフェース回路２５、２６をそれぞれ介して操作部５及びビデオサーバ２と接続され、ＳＣＳＩインターフェース回路２７を介してハードディスク装置２９と接続されている。
【００３７】
この場合ＣＰＵ２０は、ＲＯＭ２１に記録されたプログラムに基づいて、必要に応じてＲＯＭ２１内の画像データを読み出し、これを表示処理回路２３を介して映像信号Ｓ１として液晶ディスプレイ７に与えることにより、上述のようなＧＵＩ画面１０や、操作部５の操作に応動して画面内を移動するカーソル１４及び操作部５を介して入力された数字や文字等を液晶ディスプレイ７に表示させる。
【００３８】
またＣＰＵ２０は、操作部５が操作されることにより第１のインターフェース回路２５を介して所定処理の実行命令が与えられると、ＲＯＭ２１に記録されたプログラムに基づいて、必要に応じて第２のインターフェース回路２６を介してビデオサーバ２にアクセスすることにより必要な映像データのエンコードデータＤ１やそのテキストデータＤ２を再生させる。
【００３９】
さらにＣＰＵ２０は、このようにしてビデオサーバ２に再生させた映像データのエンコードデータＤ１及びテキストデータＤ２を信号処理回路２４及び第２のインターフェース回路２６を介して取り込み、エンコードデータＤ１を当該信号処理回路２４においてＭＰＥＧ２等の規格に基づいて復号化し、デコードデータＤ３を得る。
【００４０】
そしてＣＰＵ２０は、このデコードデータＤ３及びテキストデータＤ２を表示処理回路２３を介して、これらをそれぞれ映像信号Ｓ２、Ｓ３としてモニタ６及び液晶ディスプレイ７に与えることにより、対応する映像データの映像及びこれに対応するＧＵＩ画面１０をモニタ６及び液晶ディスプレイ７に表示させる。
【００４１】
さらにＣＰＵ２０は、このようにして得られた映像データのデコードデータＤ３及び対応するテキストデータＤ２をＳＣＳＩインターフェース回路２７を介して必要に応じてハードディスク装置２９に記録し、又当該ハードディスク装置２９に記録した映像データのデコードデータＤ３及び対応するテキストデータＤ２をＳＣＳＩインターフェース回路２７を介して必要に応じて読み出す。
【００４２】
（４）編集リスト作成モードにおけるＣＰＵ２０のＧＵＩ画面操作処理手順
ここで実際上プロセッサ４のＣＰＵ２０は、編集リスト作成モード時、図６に示すＧＵＩ画面操作処理手順ＲＴ１に従って上述のようなＧＵＩ画面１０の操作処理を実行する。
【００４３】
すなわちＣＰＵ２０は、液晶ディスプレイ７にＧＵＩ画面１０が表示された状態において操作部５が操作されると、このＧＵＩ画面操作処理手順ＲＴ１をステップＳＰ０において開始し、続くステップＳＰ１において、操作部５の操作がＺリング１５であるか否かを判断する。
【００４４】
そしてＣＰＵ２０は、ステップＳＰ１において否定結果を得た（つまり操作されたのがジョグダイヤル１６であると判断した）場合には、ステップＳＰ２に進んでカーソル１４をインジケータ部１２内の各タイムラインＴ１〜Ｔｎ上でジョグダイヤル１６の操作に応動して対応させた方向に移動させる。
【００４５】
この後ＣＰＵ２０は、続くステップＳＰ３においてビデオサーバ２にアクセスし、カーソル１４の位置に対応する映像データの映像を読み出し、これをモニタ６に表示させる。
【００４６】
次にＣＰＵ２０は、ステップＳＰ４に進んで操作部５の操作が終了か否かを判断する。そしてＣＰＵ２０は、ステップＳＰ４において否定結果を得るとステップＳＰ１に戻り、再び操作部５の操作がＺリング１５であるか否かを判断する。
【００４７】
これに対してＣＰＵ２０は、ステップＳＰ１において肯定結果を得るとステップＳＰ５に進んでＺリング１５の操作に対応させた分、インジケータ部１２のタイムラインＴ１〜Ｔｎの時間幅を変更させた後、ステップＳＰ４に進んで操作部５の操作が終了か否かを判断する。
【００４８】
そしてＣＰＵ２０は、この後ステップＳＰ４において肯定結果を得るまでステップＳＰ１−ステップＳＰ２−ステップＳＰ３−ステップＳＰ４のループ及び又はステップＳＰ１−ステップＳＰ５−ステップＳＰ４のループを繰り返し、やがて操作部５の操作が終了することによりステップＳＰ４において肯定結果を得ると、ステップＳＰ６に進んでこのＧＵＩ画面操作処理手順ＲＴ１を終了する。
【００４９】
（５）本実施の形態の動作及び効果
以上の構成において、この編集システム１では、編集リスト作成モード時、編集装置３の液晶ディスプレイ７には、ビデオサーバ２に記録された映像データの全所要時間を所望の時間幅で順次積み上げられた複数のタイムラインＴ１〜Ｔｎを用いて示すインジケータ部１２と、当該インジケータ部１２を操作部５の制御に基づいて操作するカーソル１４とを有するＧＵＩ画面１０を表示させておくと共に、これに対応させてモニタ６には、ＧＵＩ画面１０のカーソル１４が指示する映像データの映像を表示させておく。
【００５０】
そしてこの編集システム１では、この状態でオペレータがモニタ６に表示されている映像を目視しながら操作部５を用いてＧＵＩ画面１０のカーソル１４を操作するようにしてイン点及びアウト点を指示することにより映像データの中から所望映像を抽出し、これをクリップとして登録する。
【００５１】
またこの編集システム１では、操作部５のＺリング１５を用いてＧＵＩ画面１０内のインジケータ部１２の各タイムラインＴ１〜Ｔｎの時間幅を変更することによりカーソル１４のスキップ幅を変更すると共に、ジョグダイヤル１６を用いてカーソル１４を各タイムラインＴ１〜Ｔｎ上の２軸方向に自在に移動させる。
【００５２】
従ってこの編集システム１では、現在再生しているポイントよりも離れたポイントの映像を検索する際には、カーソル１４を各タイムラインＴ１〜Ｔｎ毎分スキップ移動させるノンリニア検索ができ、かつ現在再生しているポイントに近接するポイントの映像を検索する際には、カーソル１４を通常移動させるリニア検索ができる分、映像データの中からクリップとして登録する所望映像のイン点とアウト点とをリニア及びノンリニアに検索することができ、当該所望映像を迅速かつ容易に抽出することができる。
【００５３】
かくするにつきこの編集システム１では、このようにして登録されたクリップ同士をどのような順番でどのように繋ぎ合わせるかといった編集内容を規定する編集リストを作成することにより、当該編集リストに基づいて容易にノンリニア編集することができる。
【００５４】
以上の構成によれば、この編集システム１では、編集リスト作成モード時、映像データの全所要時間を所望の時間幅で順次タイムラインＴ１〜Ｔｎとして積み上げられたインジケータ部１２を表示させ、当該各タイムラインＴ１〜Ｔｎ上の所望部位をカーソル１４で指定するようにしてクリップのイン点又はアウト点となる映像を選択するようにしたことにより、映像データの中からクリップとして登録する所望映像をリニア又はノンリニアに検索できるため、当該所望映像を迅速かつ容易に抽出することができ、かくして映像の検索作業を格段と効率良く向上させ得る編集システム１を実現することができる。
【００５５】
（６）他の実施の形態
なお上述の実施の形態においては、本発明を編集システム１に適用するようにした場合について述べたが、本発明はこれに限らず、要は映像データの中からクリップとして登録する所望映像を迅速かつ容易に選出することが出来るようになされたこの他種々の映像検索装置に広く適用することができる。
【００５６】
また上述の実施の形態においては、記憶手段としてディスクアレイ構成からなるビデオサーバ２を適用するようにした場合について述べたが、本発明はこれに限らず、例えば書き換え可能なＤＶＤ（ディジタルビデオディスク）等のランダムアクセス可能な、この他種々の記録メディアに広く適用することができる。
【００５７】
さらに上述の実施の形態においては、液晶ディスプレイ７のＧＵＩ画面１０に映像データのテキストデータＤ２に基づいて、当該映像データの全所要時間を所望する時間、分又は秒単位で複数の帯状線グラフとしてのタイムラインＴ１〜Ｔｎで表すインジケータ部１２を設け、各タイムラインＴ１〜Ｔｎ上のカーソル１４を操作部５のジョグダイヤル１６及びＺリング１５を用いて２軸方向に自在に移動させるように操作することにより、映像データの中からクリップとして登録する所望映像を選出するようにした場合について述べたが、本発明はこれに限らず、要は映像データの中からクリップとして登録する所望部分を迅速かつ容易に選出し得るようにするものであれば、ＧＵＩ画面１０の構成としてはこの他種々の構成を用いるようにしても良い。
【００５８】
さらに上述の実施の形態においては、映像データの記録状態を表す記録状態表及び操作子を表示する第１の表示手段として、モニタ６に表示されている映像データのテキストデータＤ２に基づく当該映像データの全所要時間の表示部１１と、当該全所要時間を所望する時間幅に帯状線グラフで表すインジケータ部１２及び現在モニタ６に表示されている映像データに基づく映像のカウント時間の表示部１３と、当該映像がインジケータ部１２内のどこに対応しているかを表すカーソル１４が表示されるＧＵＩ画面１０を表示する液晶ディスプレイ７を適用するようにした場合について述べたが、本発明はこれに限らず、要は映像データの記録状態を複数の時間軸を用いて表示し、これをカーソルを用いて操作することにより、映像データの中からクリップとして登録する所望映像を迅速かつ容易に検索し得るものであれば、映像データの記録状態を表す記録状態表及びこれを表示する第１の表示手段としては、この他種々のものを広く適用することができる。
【００５９】
さらに上述の実施の形態においては、インジケータ部１２上のカーソル１４が指示する部位に対応する映像データに基づいた映像を表示する第２の表示手段として、モニタ６を適用するようにした場合について述べたが、本発明はこれに限らず、第２の表示手段としては、この他種々の表示装置を広く適用することができる。
【００６０】
さらに上述の実施の形態においては、ＧＵＩ画面１０のインジケータ部１２に映像データの全所要時間を表す所望する時間幅の帯状線として複数のタイムラインＴ１〜Ｔｎを用いるようにした場合について述べたが、本発明はこれに限らず、要は映像データの全所要時間を複数の時間軸を用いて表示するものであれば、帯状線としては、この他種々のものを広く適用することができる。
【００６１】
さらに上述の実施の形態においては、カーソル１４を操作部５の操作に基づいてＧＵＩ画面１０のインジケータ部１２上を２軸方向に移動させるようにした場合について述べたが、本発明はこれに限らず、カーソル１４の移動方向としては、この他例えば当該２軸方向に対して直交する２軸方向を含む８方向に移動するようにした場合においても適用することができる。
【００６２】
【発明の効果】
上述のように本発明によれば、映像検索装置において、映像データの全所要時間を所定の時間幅ごとに区分して表す複数のタイムラインを時間軸に沿って各タイムラインと直交するスキップ方向に順次並べることにより、記憶手段における映像データの格納状態を表す格納状態表を表示する第１の表示手段と、格納状態表上に表示されタイムライン上における映像データの再生ポイントを指示する操作子を、映像データの再生時にはタイムライン上で時間軸方向に沿って移動させると共に当該タイムラインの一端まで移動した際には次のタイムラインの他端へ移動させ、所定の操作時にはタイムライン上の当該操作に応じた部位へ移動させる操作子表示手段と、記憶手段に格納されている映像データの中から、操作子によって指示された部位に対応する映像データを読み出す読出手段と、読出手段によって読み出された映像データに基づく映像を表示すると共に、操作に応じて操作子表示手段により操作子がタイムライン上で移動された際、操作子の移動に対応して映像データに基づく映像を早送り又は巻き戻し状態で表示する第２の表示手段とを設けるようにしたことにより、映像データ全体の格納状態をスキップ方向に順次並べられた複数のタイムラインにより時間幅と対応付けて視認させ得ると共に、タイムライン上で当該映像データの再生ポイントを指示する操作子をタイムライン上で操作に応じた部位へ移動させることができるので、当該映像データの中から所望映像を迅速にかつ容易に選出させることができ、かくして映像の検索作業を格段と効率良く向上させ得る映像検索装置を実現することができる。
【００６３】
また本発明によれば、映像検索方法において、映像データの全所要時間を所定の時間幅ごとに区分して表す複数のタイムラインを時間軸に沿って各タイムラインと直交するスキップ方向に順次並べることにより上記映像データの格納状態を表す格納状態表及びタイムライン上における映像データの再生ポイントを指示する操作子を表示する第１のステップと、映像データの再生時には操作子をタイムライン上で時間軸方向に沿って移動させると共に当該タイムラインの一端まで移動した際には次のタイムラインの他端へ移動させ、所定の操作時には操作子をタイムライン上の当該操作に応じた部位へ移動させる第２のステップと、格納されている映像データの中から、操作子によって指示された部位に対応する映像データを読み出す第３のステップと、読み出された映像データに基づく映像を表示すると共に、操作に応じて第２のステップにより操作子がタイムライン上で移動された際、操作子の移動に対応して映像データに基づく映像を早送り又は巻き戻し状態で表示する第４のステップとようにしたことにより、映像データ全体の格納状態をスキップ方向に順次並べられた複数のタイムラインにより時間幅と対応付けて視認させ得ると共に、タイムライン上で当該映像データの再生ポイントを指示する操作子をタイムライン上で操作に応じた部位へ移動させることができるので、当該映像データの中から所望映像を迅速にかつ容易に選出させることができ、かくして映像の検索作業を格段と効率良く向上させ得る映像検索方法を実現することができる。
【図面の簡単な説明】
【図１】本実施の形態による編集システムの全体構成を示すブロック図である。
【図２】ＧＵＩ画面の構成を示す略線図である。
【図３】カーソル移動の様子を示す略線図である。
【図４】操作部の構成を示す略線図及び略線的斜視図である。
【図５】プロセッサの構成を示すブロック図である。
【図６】ＧＵＩ画面操作処理手順を示すフローチャートである。
【符号の説明】
１……編集システム、２……ビデオサーバ、３……編集装置、４……プロセッサ、５……操作部、６……モニタ、７……液晶ディスプレイ、１０……ＧＵＩ画面、１２……インジケータ部、１４……カーソル、１５……Ｚリング、１６……ジョグダイヤル、２０……ＣＰＵ、２１……ＲＯＭ、２２……ＲＡＭ、２３……表示処理回路、２４……信号処理回路、２５、２６……インターフェース回路、２７……ＳＣＳＩインターフェース回路、２８……ＣＰＵバス、２９……ハードディスク装置、Ｔ１〜Ｔｎ……タイムライン、ＲＴ１……ＧＵＩ画面操作処理手順。
【図１】
0004110500.tif 000002
【図２】
0004110500.tif 000003
【図３】
0004110500.tif 000004
【図４】
0004110500.tif 000005
【図５】
0004110500.tif 000006
【図６】
0004110500.tif 000007